(57)【要約】【課題】  平面ランプを用いた照明器具を、点灯装置等が収納される器具本体の影が映ることなく器具設置面を全体に明るく照らすことが可能なものとして提供する。【解決手段】  反射面１ａの周縁から側周面１ｂを立設した箱型の器具本体１と、器具本体１に収納される点灯装置２及び電源接続部３と、器具本体１の反射面１ａに装着される平面ランプ４と、底壁部５ａ及び周壁部５ｂから成る透過カバー５とを具備する照明器具である。器具本体１の上記側周面１ｂの一部を、平面ランプ４から離れるほど広がるように傾斜したテーパ面８とし、該テーパ面８と透過カバー５の周壁部５ｂとの間には、平面ランプ４の端部から発する直射光を器具設置面Ｃに当てるための隙間Ａ１を有する。【選択図】        図１
2008204735.tif 000002
【特許請求の範囲】
【請求項１】
平坦な反射面の周縁から側周面を立設した形状の外面を有する箱型の器具本体と、器具本体に収納される点灯装置及び電源接続部と、器具本体の反射面に装着される平面ランプと、底壁部及び周壁部から成るとともに器具本体及び平面ランプを覆うように装着される透過カバーとを具備する照明器具であって、器具本体の上記側周面の少なくとも反射面側の一部が、平面ランプから離れるほど広がるように傾斜したテーパ面であり、該テーパ面と透過カバーの周壁部との間には、平面ランプの端部から発する直射光を器具設置面に当てるための隙間を有することを特徴とする照明器具。
【請求項２】
器具本体の上記側周面の平面ランプから離れた側の端部に、透過カバーの周壁部を係止するためのバネ部材を設けることを特徴とする請求項１に記載の照明器具。
【発明の詳細な説明】
【技術分野】
【０００１】
本発明は、平面ランプを用いた照明器具に関する。
【背景技術】
【０００２】
従来、照明器具としては、例えば特許文献１に開示されるように環状の発光管を用いたものが周知である。この環状の発光管を用いた照明器具においては、発光管に囲まれる中央のスペースを利用して点灯装置や電源接続部を配置し、これらの影が透過カバーに映らないように設けることが一般的である。
【０００３】
ところで上記環状の発光管を用いた場合、或る程度の明るさを確保するためには大径の発光管が必要となって照明器具全体が大型化するといった問題や、中央のスペースは発光しないので輝度むらが生じるといった問題がある。そこで上記問題を解決するものとして、例えば特許文献２には、渦巻状の発光管から成る平面ランプが提案されている。この平面ランプに拠れば、小径であっても十分な明るさを確保することができ、また中央部分でも発光を生じるので輝度むらが生じない。
【０００４】
しかし、上記平面ランプは中央にスペースを有さないので、この平面ランプと同一平面内に点灯装置や電源接続部を配置することができない。そこで、これらの影が透過カバーに映らない様に収納するためには、平面ランプを装着する箱型の器具本体内に点灯装置や電源接続部を収納することが考えられる。ところがこの場合には、器具本体に一定以上の厚みが必要となるため、天井等の器具設置面に影を映すことなく全体に明るく照らすことが困難になるという問題が生じる。
【特許文献１】特開２００６−１７２８５２号公報
【特許文献２】特開２００６−２９４３０２号公報
【発明の開示】
【発明が解決しようとする課題】
【０００５】
本発明は上記問題点に鑑みて発明したものであって、平面ランプを用いた照明器具を、点灯装置等が収納される器具本体の影が映ることなく器具設置面を全体に明るく照らすことが可能なものとして提供することを課題とする。
【課題を解決するための手段】
【０００６】
上記課題を解決するために本発明を、平坦な反射面１ａの周縁から側周面１ｂを立設した形状の外面を有する箱型の器具本体１と、器具本体１に収納される点灯装置２及び電源接続部３と、器具本体１の反射面１ａに装着される平面ランプ４と、底壁部５ａ及び周壁部５ｂから成るとともに器具本体１及び平面ランプ４を覆うように装着される透過カバー５とを具備する照明器具であって、器具本体１の上記側周面１ｂの少なくとも反射面１ａ側の一部が、平面ランプ４から離れるほど広がるように傾斜したテーパ面８であり、該テーパ面８と透過カバー５の周壁部５ｂとの間には、平面ランプ４の端部から発する直射光を器具設置面Ｃに当てるための隙間Ａ１を有するものとする。
【０００７】
上記構成の照明器具にあっては、平面ランプ４を光源として用いることにより、器具全体を小径に形成しながらも十分な明るさを確保することができる。そして、平面ランプ４が装着される箱型の器具本体１内に点灯装置２及び電源接続部３を収納しながらも、この器具本体１の側周面１ｂにはテーパ面８が設けてあるために、平面ランプ４の端部から発する直射光が隙間Ａ１を通じて透過カバー５の周壁部５ｂに広く当たり、影を映すことなく明るく照らされる該周壁部５ｂを介して天井等の器具設置面Ｃを全体に明るく照明するようになっている。
【０００８】
また、器具本体１の上記側周面１ｂの平面ランプ４から離れた側の端部に、透過カバー５の周壁部５ｂを係止するためのバネ部材２２を設けることも好適である。このようにすることで、器具本体１のテーパ面８を、透過カバー５を装着する際のガイドとして用いることができる。つまり透過カバー５を装着する際には、透過カバー５の先端をテーパ面８に当てて滑らせながら器具設置面Ｃ側に向けて移動させてゆけば、所定の取付位置にてバネ部材２２により弾性的に係止されるものである。
【発明の効果】
【０００９】
請求項１に係る発明は、平面ランプを用いた照明器具を、点灯装置等が収納される器具本体の影が映ることなく器具設置面を全体に明るく照らすことが可能なものとして提供することができるという効果を奏する。
【００１０】
また請求項２に係る発明は、請求項１に係る発明の効果に加えて、器具本体のテーパ面を、透過カバーを装着する際にはガイドとして用いることができるという効果を奏する。
【発明を実施するための最良の形態】
【００１１】
以下、本発明を添付図面に示す実施形態に基づいて説明する。図１〜図３には、本発明の実施形態における一例の照明器具を示している。本例の照明器具は、箱型に形成される器具本体１と、この器具本体１内に収納される点灯装置２と、同じく器具本体１内に収納される電源接続部３（図３参照）と、器具本体１の外面に形成される平坦な反射面１ａに装着される平面ランプ４と、この平面ランプ４と器具本体１を覆う透過カバー５とで主体を構成している。なお図３においては、平面ランプ４は省略してある。
【００１２】
上記器具本体１は天井等の器具設置面Ｃ（図１参照）に設置されるものであり、一面側の開口した本体ケース６の開口部分を、器具設置面Ｃに固定される平板状の取付板７で覆うことで形成される。この有底筒状の本体ケース６の底壁外面が器具本体１の上記反射面１ａを成し、また本体ケース６の周壁外面が器具本体１の側周面１ｂを成す。つまり本体ケース６の外面は反射面１ａの周縁から側周面１ｂを立設した形状であって、更に上記側周面１ｂにおいて、反射面１ａに近い側の部分をテーパ面８とし、テーパ面８から反射面１ａとは離れる側に向けて延設される部分を、反射面１ａに対して垂直に形成される垂直面９としている。
【００１３】
上記点灯装置２は、図３に示すように直方体を成すインバータ式のものであり、器具本体１内にて電源接続部３と電気的に接続させてある。点灯装置２及び電源接続部３は共に、本体ケース６の円板状を成す底壁の内面中央に配置しており、この点灯装置２は更に、器具本体１の上記反射面１ａに設置してある一対のランプソケット１０と電気的に接続させてある。
【００１４】
上記平面ランプ４は、全体形状が略円板状となるように二重渦巻状に形成した発光管１１と、この発光管１１の両端部に設けた一対の口金１２とから成る蛍光ランプであり、対応するランプソケット１０に各口金１２を電気的に接続することで、ランプソケット１０を介して点灯装置２と電気的に接続される構造である。図４にも示すように上記発光管１１は、その長さ方向の中間部分１１ａを中心に位置させるとともに、該中間部分１１ａから長さ方向の一方に伸びる部分と他方に伸びる部分とを、同一回転方向に向けて螺旋状に巻いた二重渦巻き形状を有する。これにより、本例の平面ランプ４は中央部分を含めた面全体が発光するようになっており、例えば従来の環状を成すランプと比較して、小径であっても十分な明るさを確保することができ、且つ輝度むらを生じないものとなっている。
【００１５】
発光管１１の中間部分１１ａは他の部分よりも太く形成しており、その一部を平面ランプ４の片面側に突出させることで、この突出部分を発光管１１の最冷点としている。また図４に示すように、各口金１２とこれの内側に位置する発光管１１の一部との間、及び発光管１１の一部とこれの内側に位置する発光管１１の他部との間には、充填材１３を充填させてある。更に、一対の口金１２同士はブリッジ１４により連結させており、この充填材１３とブリッジ１４によって二重渦巻状の発光管１１の変形を防止している。
【００１６】
各口金１２の端面には二本のピン１５を、発光管１１が渦巻状に配される平面と直交する方向において並設してある。一対の口金１２は、発光管１１の中間部分１１ａを中心とした点対称の位置にあり、各口金１２の端面は互いに逆方向を向いているので、一方の口金１２のピン１５の突出方向は、他方の口金１２のピン１５の突出方向の逆方向となっている。この配置とすることで、口金１２やピン１５を含めた平面ランプ４全体を最もコンパクトに構成することができる。また、発光管１１内において一対のピン１５間に配されるフィラメント（図示せず）と該発光管１１内面との間のクリアランスも、発光管１１が渦巻状に湾曲するという条件の下で最大限に確保することができる。
【００１７】
器具本体１の反射面１ａに設けてある一対のランプソケット１０は図５に示すようなものであり、反射面１ａに取付固定されるソケット本体１６と、このソケット本体１６に凹設した断面円形状の保持部１７内に回転自在に収納される断面Ｃ字状の回動体１８とから成る。回動体１８の周方向端部には、径方向外側に向けて操作レバー１９を突設しており、この操作レバー１９が、ソケット本体１６に設けた切欠部２０を通じて外部に突出する構造になっている。また回動体１８の内周面には、一対の接触子（図示せず）が固設してある。
【００１８】
器具本体１の反射面１ａには更に、断面略Ｃ字状を成す一対の支持バネ２１（図１〜図３参照）が固設してあり、器具本体１に平面ランプ４を装着する際にはまずこの支持バネ２１に該平面ランプ４を仮保持させる。そして、図５（ａ）に示すように断面Ｃ字状を成す回動体１８を、その内部空間がソケット本体１６の切欠部２０と連通するように位置させたうえで、切欠部２０を通じて各口金１２の一対のピン１５を回動体１８内に挿入する。この後、操作レバー１９により各回動体１８を回動させて図５（ｂ）に示す状態とし、各回動体１８の一対の接触子と電気的に接触した状態で一対のピン１５を保持させる。なお、各ランプソケット１０から平面ランプ４を取り外すには、上記と逆の手順を実行すればよい。
【００１９】
上記透過カバー５は、円板状を成す底壁部５ａと、この底壁部５ａの周縁全周から略直交方向に延設される円筒状の周壁部５ｂと、この周壁部５ｂの更に先端縁から内方に向けて延設されるフランジ状の取付部５ｃとで主体を構成している。器具本体１の側周面１ｂには、上端部分が外方に湾曲して突出するように形成したバネ部材２２が配してある。このバネ部材２２は、周方向に等間隔を隔てた複数個所（図示例では三箇所）に設けており、各バネ部材２２の上記突出部分が、透過カバー５の取付部５ｃを係止するための係止部２２ａとなっている。
【００２０】
各バネ部材２２は、外側から係止部２２ａに力が加わると撓んで該係止部２２ａを内方に移動させるように配してあるので、平面ランプ４を装着した状態の反射面１ａ側から透過カバー５を被せてゆき、透過カバー５の取付部５ｃを各バネ部材２２の係止部２２ａに当てて押し込むことで該係止部２２ａは内側へと移動する。そして、取付部５ｃを更に押し込んで係止部２２ａを乗り越えた所定の取付箇所にて、係止部２２ａは外方に弾性復帰する。上記取付箇所において取付部５ｃの端面は取付板７と当接し、三箇所のバネ部材２２の係止部２２ａと取付板７との間で取付部５ｃが挟持される状態で、透過カバー５は器具本体１に装着される。なお、各バネ部材２２の係止部２２ａは、上記側周面１ｂのうち平面ランプ４から離れた側の端部（図示例においては垂直面９）にて外方に突出するように設けている。
【００２１】
図１には、器具本体１に平面ランプ４や透過カバー５を装着した状態を示している。器具本体１の側周面１ｂに形成されるテーパ面８は、反射面１ａ（即ちここに装着される平面ランプ４）から離れる方向に行くほど広がるように傾斜しており、このテーパ面８と透過カバー５の周壁部５ｂ内面との間には、全周に亘って所定の隙間Ａ１が形成されるように設けている。この隙間Ａ１は、器具本体１の反射面１ａと透過カバー５の底壁部５ａ内面との間に形成されて中央に平面ランプ４が配される隙間Ａ２と連通するものであり、隙間Ａ１を通じて、平面ランプ４の端部から発する直射光が透過カバー５の周壁部５ｂの全面に照射される。
【００２２】
上記テーパ面８は、平面ランプ４の端部と透過カバー５の周壁部５ｂの端部とを結ぶ仮想面Ｓ（図中の一点差線）を境界面としてこれよりも器具設置面Ｃ側（図中上側）に位置し、且つ該仮想面Ｓと略並行な傾斜となるように形成する。なお、テーパ面８は仮想面Ｓと平行であってもよく、このようにテーパ面８を仮想面Ｓと沿うように形成することが好適である。
【００２３】
上記形状及び位置関係に設けることで、透過カバー５の周壁部５ｂと器具設置面Ｃとの間の距離ｄ１や、周壁部５ｂと器具本体１との間の距離ｄ２を可能な限り小さく設計しながらも、平面ランプ４からの直射光を透過カバー５の周壁部５ｂの全面に当て、器具本体１の影が映ることなく照らされる周壁部５ｂを介して、天井等の器具設置面Ｃの全面を照らすことができる。加えて器具本体１側にあっても、上記テーパ面８を設けることによって、器具全体をコンパクト化し且つ透過カバー５全体を明るく照らすという条件下で可能な限り器具本体１の容積を大きく設け、内蔵される点灯装置２等の温度条件を良好に保持することが可能である。
【００２４】
また器具本体１の反射面１ａは、平面ランプ４の反射面１ａに対する投影面よりも僅かに大径の面に形成してあるので、平面ランプ４の端部から発せられる直射光のうち、反射面１ａにおいて平面ランプ４の投影面よりも外側の領域に当たる直射光は、反射によって底壁部５ａの外周縁部分を照らすこととなる。この底壁部５ａの外周縁部分は平面ランプ４の直射光が当たり難く、影を生じ易い部分であるが、上記反射光により影を補って明るく照らすことができる。
【００２５】
即ち本例の照明器具にあっては、コンパクトであっても十分な明るさを確保し、且つ輝度むらを生じることがない平面ランプ４を光源として利用したうえで、この平面ランプ４が装着される反射面１ａを超えて器具設置面Ｃ近傍にまで周壁部５ｂを延設して成る透過カバー５によって平面ランプ４及び器具本体１全体を囲むとともに、収納される平面ランプ４によって、透過カバー５の底壁部５ａ及び周壁部５ｂの全体を明るく照らすことが可能である。これにより天井等の器具設置面Ｃも、影を生じることなく全面に明るく照らされる。
【００２６】
また本例の照明器具にあっては、バネ部材２２の係止部２２ａを、器具本体１の側周面１ｂの平面ランプ４から離れた側の端部に設けてあることから、器具本体１の反射面１ａ周縁から延設されるテーパ面８が、透過カバー５を装着する際のガイドとしても機能する。つまり透過カバー５を装着する際には、まず透過カバー５の取付部５ｃ先端をテーパ面８に当て、テーパ面８上を滑らせながら器具設置面Ｃ側に向けて移動させてゆけば、所定の取付位置にて透過カバー５はバネ部材２２により弾性的に係止されるものである。なお透過カバー５を取り外す際には、透過カバー５を掴んで器具設置面Ｃから離れる方向へと移動させればバネ部材２２が内側に撓み、係止が解除されるものである。
【図面の簡単な説明】
【００２７】
【図１】本発明の実施形態における一例の照明器具の断面図である。
【図２】同上の分解斜視図である。
【図３】同上の平面ランプを除いた状態の一部破断分解斜視図である。
【図４】同上の平面ランプを示し、（ａ）は正面図、（ｂ）は側面図である。
【図５】同上のランプソケットの説明図であり、（ａ）は平面ランプを装着する前の状態、（ｂ）は装着後の状態を示している。
【符号の説明】
【００２８】
１  器具本体
１ａ  反射面
１ｂ  側周面
２  点灯装置
３  電源接続部
４  平面ランプ
５  透過カバー
５ａ  底壁部
５ｂ  周壁部
８  テーパ面
２２  バネ部材
Ａ１  隙間
Ｃ  器具設置面
【図１】
2008204735.tif 000003
【図２】
2008204735.tif 000004
【図３】
2008204735.tif 000005
【図４】
2008204735.tif 000006
【図５】
2008204735.tif 000007